(57)【要約】【課題】医療用架台の側面に吊下及び取り付けられる医療機器や補助器具の破損防止が求められている。【解決手段】内視鏡が取付保持されると共に、内視鏡を駆動制御する駆動制御機器や附帯機器等が搭載された状態で搬送可能な医療用架台装置において、内視鏡を吊下保持する内視鏡ハンガー２５と、内視鏡の駆動制御機器や附帯機器等を載置する複数の矩形状の棚板１３〜１６と、この棚板を取付固定する支柱１２と、搬送用ハンドル２２と、及びキャスター２４とを棚板の角から外方向に突出させた位置に設けて、棚板の両側面に内視鏡及び補助器具を吊下取付スペースを設けた医療用架台装置。【選択図】      図１
2004223156.tif 000002
【特許請求の範囲】
【請求項１】
各種医療装置が取付保持されると共に、前記医療装置を駆動制御する駆動制御機器、又は前記医療装置に附帯される附帯機器が搭載された状態で搬送可能な医療用架台装置において、
前記医療装置を吊下保持する吊下部と、
前記医療装置の駆動制御機器、又は附帯機器を載置する複数の矩形状の棚板からなる棚板部と、
前記吊下部に吊下保持された医療装置の吊下部分を配置、又は前記医療装置の補助器具を配置させるスペース部を形成すべく、前記棚板部の複数の棚板で形成される矩形面のうち少なくとも側面側の２つの角部分から外方に突出して設けられた搬送用キャスターと、
を具備したことを特徴とする医療用架台装置。
【請求項２】
前記棚板を形成する複数の矩形状棚板の後面側の２つの角部分から外方に突出させて前記医療装置の吊下用支柱を設けたことを特徴とする請求項１記載の医療用架台装置。
【請求項３】
前記棚板を形成する複数の矩形状棚板の上面棚板の２つの角部分から外方に突出させて搬送用ハンドルを設けたことを特徴とする請求項１記載の医療用架台装置。
【請求項４】
前記医療装置の吊下用支柱の外周面に、把持する時の滑り止め用加工を施したことを特徴とする請求項２記載の医療用架台装置。
【発明の詳細な説明】
【０００１】
【発明の属する技術分野】
本発明は、各種診断治療を行う医療装置を吊持すると共に、その医療装置を駆動制御する駆動制御機器、光源機器、診断治療情報を表示するモニター、診断治療情報を記録する記録機器、及び補助治療機器等の駆動制御及び附帯機器を載置する複数の棚を有する医療用架台に関し、特に医療用架台に吊下されている医療装置やこの補助器具の損傷を防止でき、かつ、搬送が容易な医療用架台装置に関する。
【０００２】
【従来の技術】
従来、医療分野で患部の診断や治療に内視鏡装置や超音波診断装置等が用いられている。
【０００３】
さらに、内視鏡装置は、高画素数の固体撮像素子の開発により、体腔内に挿入される挿入部先端に固体撮像素子を内蔵させ、その固体撮像素子で撮像生成された撮像画像を基に体腔内患部の診断や治療を行う電子内視鏡装置が主流となっている。
【０００４】
この電子内視鏡装置は、前述した挿入部先端に固体撮像素子を内蔵させた内視鏡と、この固体撮像素子を駆動制御すると共に、撮像生成された撮像信号を所定の信号処理を行い映像信号を生成する内視鏡駆動制御機器であるビデオプロセッサ、前記内視鏡挿入部先端から観察部位に投射させる照明光を生成して内視鏡に供給する光源機器、前記ビデオプロセッサで生成された映像信号を基に撮像映像を表示するモニター、前記ビデオプロセッサで生成された映像信号を記録する記録機器、及び内視鏡装置に設けられた処置具チャンネルを介して患部の処置を行う処置具を駆動制御する処置具制御機器等の駆動制御機器や附帯機器から構成されている。
【０００５】
この電子内視鏡装置は、内視鏡を吊持保持する内視鏡用ハンガーや、前記ビデオプロセッサ、光源機器、モニター、及び処置具制御機器等を載置する複数段の棚板を有する架台に収納載置され、且つ、この架台にキャスターを設けることで、自由に診断治療場所を移動できるようになっている。
【０００６】
また、前記電子内視鏡装置は、診断治療する被検体である患者の氏名、年齢、性別、及び診断実施年月日等の被検体情報（以下、患者情報と称する）や前記ビデオプロセッサなどの各種機器の設定情報等を入力するための入力用キーボードが設けられ、この入力用キーボードから入力された患者情報は、前記モニター機器に表示されると共に、前記記録機器に内視鏡で撮像生成された映像信号と共に記録されるようになっている。
【０００７】
前記入力用キーボードや、モニター機器、及び各種医療機器等を載置される医療用架台装置であるカートが提案されている（例えば、特許文献１及び２参照）。
【０００８】
【特許文献１】
実開平１０−２８６２１９号公報。
【０００９】
【特許文献２】
米国特許登録番号第５，７６５，５６５号公報。
【００１０】
【発明が解決しようとする課題】
前記特許文献１及び２に提案されている内視鏡機器カートである医療用架台は、略箱状に形成され、底板と頂板と、この底板と頂板を連結する柱状又は板状若しくは梁状の４つのフレームと、このフレームに取り付けられ、かつ、前記底板と頂板との間に複数の棚板が取付可能となっている。
【００１１】
前記底板と頂板の間に取り付けられる棚板は、前記４つのフレームに棚板固定用ネジで取付固定されるようになっている。
【００１２】
このようにフレームと棚板からなる架台に、例えば、内視鏡の吊持と、前記ビデオプロセッサ、光源機器、モニター、及び処置具制御機器等の駆動制御機器と附帯機器を載置し、その架台の側面に、内視鏡挿入部や、内視鏡の駆動制御用信号、照明光、駆動電源等の信号ケーブルとライトガイドからなるユニバーサルコードとコネクタが垂れ下り配置される。
【００１３】
また、内視鏡の挿入部先端を洗浄するための洗浄水タンクやその洗浄水を回収貯蔵する回収タンク等の補助器具も前記架台側面に配置されることがある。
【００１４】
このように内視鏡診断治療のために、医療用架台に内視鏡を吊持保持させ、その内視鏡の駆動制御機器や補助機器等を載置させた際に、前記架台の側面には、内視鏡の挿入部やユニバーサルコード、及び内視鏡の補助器具である洗浄水タンクや回収タンク等が露出配置される。
【００１５】
このように、内視鏡と、その内視鏡の駆動制御機器を搭載させた状態の医療用架台を移動させたり、あるいは医療用架台の周辺を通行する際には、架台の側面に露出配置している前記内視鏡挿入部やユニバーサルコード及び補助器具等が接触破損しないように注意を払う必要がある。
【００１６】
しかしながら、内視鏡や、その内視鏡の駆動制御機器を搭載した医療用架台の周辺を清掃している時や、医療用架台を移動させている時は、架台の側面に露出配置されている内視鏡挿入部、ユニバーサルコード、及び補助器具への注意が散漫となり、清掃用具やドア等が衝突して、破損させてしまうことが考えられる。
【００１７】
本発明は、上記事情に鑑みなされたもので、各種機器を搭載すると共に、側面に露出配置された内視鏡挿入部やユニバーサルコード等の医療装置及び補助器具の衝突破損を防止可能する医療用架台装置を提供することを目的としている。
【００１８】
【課題を解決するための手段】
本発明の医療用架台装置は、各種医療装置が取付保持されると共に、前記医療装置を駆動制御する駆動制御機器、又は前記医療装置に附帯される附帯機器が搭載された状態で搬送可能な医療用架台装置において、前記医療装置を吊下保持する吊下部と、前記医療装置の駆動制御機器又は附帯機器を載置する複数の矩形状の棚板からなる棚板部と、前記吊下部に吊下保持された医療装置の吊下部分を配置、又は前記医療装置の補助器具を配置させるスペース部を形成すべく、前記棚板部の複数の棚板で形成される矩形面のうち少なくとも側面側の２つの角部分から外方に突出して設けられた搬送用キャスターと、を具備したことを特徴とする。
【００１９】
本発明の医療用架台装置は、前記棚板を形成する複数の矩形状棚板の後面側の２つの角部分から外方に突出させて前記医療装置の吊下用支柱を設けたことを特徴とする。
【００２０】
本発明の医療用架台装置は、前記棚板を形成する複数の矩形状棚板の上面棚板の２つの角部分から外方に突出させて搬送用ハンドルを設けたことを特徴とする。
【００２１】
また、本発明の医療用架台装置は、前記医療装置の吊下用支柱の外周面に、架台を把持した時の滑り止め用加工を施したことを特徴とする。
【００２２】
本発明の医療用架台装置は、架台側面に露出配置される医療機器や補助器具の衝突破損が防止できると共に、各種医療機器を搭載した医療用架台の移動も簡易に実行できるようになった。
【００２３】
【発明の実施の形態】
以下、図面を参照して本発明の実施の形態について詳細に説明する。図１は本発明に係る医療用架台装置の一実施形態の医療機器の搭載状態を示す斜視図、図２は本発明に係る医療用架台装置の棚板に対する医療機器吊持支柱、搬送用ハンドル、及び搬送用キャスターの設置位置関係を説明する斜視図、図３は本発明に係る医療用架台装置の全体構成を示す斜視図である。
【００２４】
最初に、図３を用いて本発明に係る医療用架台装置の全体構成を説明する。架台１１は、断面形状が略Ｌ状の２本の支柱１２ａ，１２ｂの上端に上面棚板１３、下端に底面棚板１４とがそれぞれ取付固定されている。上面棚板１３と底面棚板１４の後面側の２辺が前記支柱１２ａ，１２ｂのＬ字部分でそれぞれ取付固定されている。つまり、上面棚板１３と底面棚板１４の前面側は、前面と、側面の略２／３位の部分は何ら支柱もなく物品の収納載置が可能となっている。
【００２５】
なお、底面棚板の下面の４つの角部分には、搬送用キャスター２４ａ〜２４ｄが設けられて、架台１１が移動可能となっている。
【００２６】
また、前記上面棚板１３の前面の２つの角部分には、搬送用ハンドル２２ａ，２２ｂが設けられており、この搬送用ハンドル２２ａ，２２ｂを把持して搬送用キャスター２４ａ〜２４ｄにより架台１１が移動可能となっている。
【００２７】
さらに、前記支柱１２ａ，１２ｂの上端の略Ｌ字形状の角部分には、モニター支柱１８と、内視鏡ハンガー支柱２１が装着できる筒状部が一体的に形成されている。
【００２８】
前記モニター支柱１８には、モニター台１９が設けられており、このモニター台１９にモニター２０が載置されるようになっている。
【００２９】
また、前記内視鏡ハンガー支柱２１には、内視鏡ハンガー２５が設けられており、この内視鏡ハンガー２５に図示していない内視鏡が保持されるようになっている。
【００３０】
さらに、前記上面棚板１３の一方の側面には、前記内視鏡ハンガー２５に保持された内視鏡のケーブルコネクタが装着保持されるコネクタホルダー２３ａ，２３ｂが設けられている。
【００３１】
前記上面棚板１３と底面棚板１４との間には、第１中間棚板１５と第２中間棚板１６とがそれぞれ前記支柱１２ａ，１２ｂに取付固定されている。なお、この第１と第２中間棚板１５，１６は、前記支柱１２ａ，１２ｂの任意の位置に取付固定可能となっている。つまり、第１と第２中間棚板１５，１６に載置される機器の高さによって、支柱１２ａ，１２ｂへの取付固定位置が変更可能となっている。
【００３２】
前記上面棚板１３には、内視鏡診断時に用いる各種医薬品やガーゼ等の診断補助部材が載置される。
【００３３】
前記第１中間棚板１５には、図示していない内視鏡に設けられているライトガイドファイバーに照明光を生成供給する光源機器と、内視鏡に内蔵されている固体撮像素子を駆動制御すると共に、固体撮像素子で撮像生成された撮像信号を取り込み所定の信号処理を行って前記モニター２０に表示する映像信号を生成処理するビデオプロセッサが載置される。
【００３４】
前記第２の中間棚板１６には、前記内視鏡に設けられている処置具挿通チャンネルに挿通させた各種処置具により体腔内患部の検体採取や治療の際に、その処置具を駆動制御させる処置具駆動制御機器が載置される。
【００３５】
また、前記底面棚板１４には、前記第１中間棚板１５に載置されているビデオプロセッサで生成された映像信号を記録するビデオカセットレコーダなどの記録機器が載置される。
【００３６】
前記第１中間棚板１５の上方で、前記上面棚板１３の下面側近傍には、入力端末トレー１７が配置されている。この入力端末トレー１７には、内視鏡診断治療を行う患者情報やか第１１に載置されているビデオプロセッサなどの各種機器の設定情報等を入力するためのキーボード、又はタッチパネル等が載置されるようになっている。
【００３７】
この入力端末トレー１７は、前記上面棚板１３の載置領域の下面側に収納可能で、且つ、必要に応じて、前記上面棚板１３の載置領域の外周の任意の位置に引き出し可能となっている。
【００３８】
さらに、第１中間棚板１５の側面には、例えば、洗浄水タンク３５や、図示していない洗浄水回収用の回収タンク等が取付固定されるようになっている。
【００３９】
なお、洗浄水タンク３５は、前記内視鏡の挿入部先端の観察窓を洗浄する洗浄水を貯蔵するもので、この洗浄水タンク３５に貯蔵されている洗浄水は、内視鏡に設けられた送水チャンネルを介して挿入部先端から観察窓へ噴射されるようになっており、その噴射された洗浄水は、排水チャンネルを介して吸引排水して、回収タンクに回収貯蔵されるようになっている。
【００４０】
このように構成の架台１１の各棚板１３〜１６と、搬送用キャスター２４ａ〜２４ｄ、搬送用ハンドル２２ａ，２２ｂ、モニター支柱１８、及び内視鏡ハンガー支柱２１との位置関係について図１と図２を併用して説明する。なお、図３と同一部分は、同一符号を付して詳細説明は省略する。
【００４１】
前記棚板１３〜１６は矩形形状に形成され、その棚板１３〜１６の後端側と後端側の側面は、支柱１２ａ，１２ｂに取付固定されており、この支柱１２ａ，１２ｂの角から外方向に前記モニター支柱１８が装着されるモニター支柱円筒部と、このモニター支柱円筒部と連設して内視鏡ハンガー支柱２１が装着されるハンガー支柱円筒部が突出形成されている。
【００４２】
また、前記上面棚板１３の前面側の２つの角部分から側面外方向に搬送用ハンドル２２ａ，２２ｂを突出形成されている。
【００４３】
さらに、前記底面棚板１４の下面の４つの角部分から側面外方向に突出させた位置に搬送用キャスター２４ａ〜２４ｄが設けられている。
【００４４】
つまり、前記モニター支柱１８と内視鏡ハンガー支柱２１の支柱円筒部、搬送用ハンドル２２ａ，２２ｂ、及び搬送用キャスター２４ａ〜２４ｄとを前記棚板１３〜１６の側面から外方向に設けたことでスペースｌが形成されている。
【００４５】
これにより、前記上面棚板１３の側面に設けられているコネクタホルダ２３ａ，２３ｂは、前記上面棚板１３の側面と、前記モニター支柱１８と内視鏡ハンガー支柱２１が装着される支柱円筒部を有する支柱１２の最外側との間のスペースｌ内に配置される。
【００４６】
この結果、図１に示すように、前記内視鏡ハンガー支柱２１の内視鏡ハンガー２５に設けられた内視鏡吊持フック２６ｂに、図中１点鎖線で示すように、内視鏡３２を吊持すると、その内視鏡３２のユニバーサルコード３３の先端に設けられているコネクタは、コネクタホルダー２３ｂに一時装着され、内視鏡３２の挿入部３１は、前記棚板１３〜１６の側面に沿って、前記スペースｌ内で垂れ下がり、内視鏡３２の挿入部３１の先端は、例えば、第２中間棚板１６の側面に取付固定されている容器３４の内部に垂下される。
【００４７】
なお、容器３４は、内視鏡３２で内視鏡診断操作終了時に、挿入部３１内に残留している洗浄水等の滴下に対して備えたもので、この容器３４も前記スペースｌ内に取付固定できる。
【００４８】
また、図示していないが、例えば、第１中間棚板１５の左側面側に、図３に示したような洗浄水タンク３５や回収タンク等の補助器具を設置する場合も、前記スペースｌ内に設置することができる。
【００４９】
即ち、架台１１の側面に吊持又は取付設置する医療機器や補助器具等は、棚板１３〜１６の側面と、支柱１２、搬送用ハンドル２２ａ，２２ｂ、及び搬送用キャスター２４ａ〜２４ｄの外周との間で形成されるスペースｌ内に吊持及び取付固定することができるために、架台１１の周辺を清掃時や、架台１１の移動時の清掃具、ドア、及び壁等との衝突の際に、支柱１２、搬送用ハンドル２２ａ，２２ｂ、及び搬送用キャスター２４ａ〜２４ｄが先に衝突して、吊持又は取付固定されている医療機器や補助器具の損傷を回避できる。
【００５０】
なお、この架台１１を移動させる場合には、作業者が搬送用ハンドル２２ａ，２２ｂを押したり引いたりすることで搬送用キャスター２４ａ〜２４ｄを回転させるが、この搬送用ハンドル２２ａ，２２ｂ以外に、前記支柱１２の最外周に設けられている内視鏡ハンガー支柱２１が装着されるハンガー支柱円筒部の外周を作業者が把持して押したり引いたりさせても良い。このため。支柱１２のハンガー支柱円筒部の外周面に複数の凸状部、又は凹状部の滑り止め部１２ｘを長手方向に形成する。
【００５１】
また、各搬送用キャスターの配置間隔を十分広くすることができ、架台１１を安定して移動させることができる。
【００５２】
【発明の効果】
本発明の医療用架台装置は、架台の側面に吊下及び取付固定される医療機器や補助器具等は、架台の最外周側面内に吊下取付固定されるために、架台周辺の通行者による衝突や、架台移動時の他の物体への衝突が緩和され、医療機器や補助器具の破損が回避でき、かつ、架台の移動搬送が簡易で作業効率が向上する効果を有している。また、搬送用キャスターのは位置間隔を広くすることができ、架台を安定に移動させることができる。
【図面の簡単な説明】
【図１】本発明に係る医療用架台装置の一実施形態の医療機器の搭載状態を示す斜視図。
【図２】本発明に係る医療用架台装置の棚板に対する医療機器吊持支柱、搬送用ハンドル、及び搬送用キャスターの接地位置関係を説明する斜視図。
【図３】本発明に係る医療用架台装置の全体構成を示す斜視図である本発明に係る医療用架台装置の一実施形態の全体構成を示す斜視図。
【符号の説明】
１１…架台
１２…支柱
１３…上面棚板
１４…底面棚板
１５…第１中間棚板
１６…第２中間棚板
１８…モニター支柱
２１…内視鏡ハンガー支柱
２２…搬送用ハンドル
２４…キャスター
【図１】
2004223156.tif 000003
【図２】
2004223156.tif 000004
【図３】
2004223156.tif 000005
【手続補正書】
【提出日】平成15年4月7日(2003.4.7)
【手続補正１】
【補正対象書類名】明細書
【補正対象項目名】００３６
【補正方法】変更
【補正の内容】
【００３６】
前記第１中間棚板１５の上方で、前記上面棚板１３の下面側近傍には、入力端末トレー１７が配置されている。この入力端末トレー１７には、内視鏡診断治療を行う患者情報や架台１１に載置されているビデオプロセッサなどの各種機器の設定情報等を入力するためのキーボード、又はタッチパネル等が載置されるようになっている。


【手続補正２】
【補正対象書類名】明細書
【補正対象項目名】００５２
【補正方法】変更
【補正の内容】
【００５２】
【発明の効果】
本発明の医療用架台装置は、架台の側面に吊下及び取付固定される医療機器や補助器具等は、架台の最外周側面内に吊下取付固定されるために、架台周辺の通行者による衝突や、架台移動時の他の物体への衝突が緩和され、医療機器や補助器具の破損が回避でき、かつ、架台の移動搬送が簡易で作業効率が向上する効果を有している。また、搬送用キャスターの配置間隔を広くすることができ、架台を安定して移動させることができる。